(57)【要約】ペットまたは動物用の食品（２１０、４００、５００、６００）のための様々な包装システムが開示される。１つのパッケージ・システムは、主要な成分を有する例えばトレイまたはブリキ製の缶（１０２、５０６）のような主要な容器、および、補助成分（２６、１０８、２２８）を含む例えば小袋（２４、１１０、２３０）のような二次的な容器から構成され、ここにおいて、主要な容器は、二次的な容器の囲いのために適応する。二次的な容器は、主要な容器の開けられる部分（１０６）または剥離プラスチックカバー（１４、２２０）に取り付けられる。ペット食品は、タンパク質供給源を含む液体キャリア、繊維供給源を含む本質的に固体のキャリア、および、炭水化物供給源を含む大きいゲル・キャリアの栄養を含む構造群から２つのまたは３つの並置された栄養を含む構造を有する動物のための栄養的な組成である。第２の包装は、イヌ骨（１０００）または魚（１２００）として成形され、３つの仕切りに分割される。さらなる包装は、側面部分を有する基底部、および、第１の食用に適する組成のための上部の仕切りおよび第２の食用に適する部分のためのより低い仕切り容器を分割する分割要素からなる容器である。他の包装（１１００）は、基底部および側面、および、基部から上方へ部分を延長する一体的に形成された内部容器（１１１４）を有するボウルのような外部の外皮（１１１２）の形である。第１の外側の食用に適する組成を形成するボウルのような外部の外皮および内部容器は一部を含み、第２の内部の食用に適する組成を形成する内部容器は一部を含む。【選択図】図６、図１３
2008534397.tif 000002
【特許請求の範囲】
【請求項１】
主要な容器および二次的な容器を含む食品原料の包装システムであって、前記主要な容器は、前記二次的な容器の囲いのために適応し；前記二次的な容器は、前記主要な容器の開けられる部分に取り付けられる包装システム。
【請求項２】
請求項１のシステムであって、前記主要な容器は、プラスチック剥離カバーを備えるプラスチック容器であるシステム。
【請求項３】
請求項２のシステムであって、前記二次的な容器は、前記プラスチック剥離カバーの下側に取り付けられるプラスチック小袋であるシステム。
【請求項４】
請求項２または３のシステムであって、前記小袋は、前記プラスチック剥離カバーおよび前記小袋が最適に操作される場合、前記小袋の少なくとも１つの表面において、開口部を提供するため、裂けるように適応する弱い線を備えるシステム。
【請求項５】
請求項１のシステムであって、前記主要な容器は、ブリキ製の缶であるシステム。
【請求項６】
請求項５のシステムであって、前記二次的な容器は、前記ブリキ製の缶の一端の下側に取り付けられるプラスチック小袋であるシステム。
【請求項７】
請求項１から６のいずれか１つのシステムであって、前記主要な容器は食事のための準備される主な成分で満たされるシステム。
【請求項８】
請求項２から７のいずれか１つのシステムであって、前記小袋は補助成分で満たされるシステム。
【請求項９】
請求項８のシステムであって、前記補助成分はソースであるシステム。
【請求項１０】
請求項８のシステムであって、前記補助成分は肉汁であるシステム。
【請求項１１】
請求項８のシステムであって、前記補助成分は調味料であるシステム。
【請求項１２】
請求項８のシステムであって、前記補助成分は調味用薬剤であるシステム。
【請求項１３】
請求項８のシステムであって、前記補助成分はビタミン剤であるシステム。
【請求項１４】
請求項８のシステムであって、前記補助成分は医薬の補助食品であるシステム。
【請求項１５】
請求項８から１４のいずれか１つのシステムであって、前記準備された主な成分が充填される前記主要な容器は、前記小袋の補助成分の範囲で得られるシステム。
【請求項１６】
請求項１から１５のいずれか１つのシステムであって、前記主要な容器は前記小袋の内容を示すしるしを備えるシステム。
【請求項１７】
準備された食品で補助成分を供給する方法であって、
以下のステップ：
【請求項１８】
二次的な容器を囲む主要な容器を含む容器システムの提供、
【請求項１９】
前記主要な容器への準備された食事の主な成分の充填、
【請求項２０】
前記二次的な容器への前記準備された食事の補助成分の充填、を含む方法。
【請求項２１】
請求項１７の方法であって、前記主要な容器が剥離蓋を有するプラスチック容器である方法。
【請求項２２】
請求項１８の方法であって、前記二次的な容器は、前記剥離蓋の下側に取り付けられる小袋である方法。
【請求項２３】
請求項１７乃至１９の方法であって、前記主要な容器はブリキ製の缶である方法。
【請求項２４】
請求項２０の方法であって、前記二次的な容器は、前記ブリキ製の缶の一端の下側に取り付けられる小袋である方法。
【請求項２５】
包装および食品の組成の配置を含む食品であって；
前記食品の組成は、少なくとも１つの外側の食用に適する部分および少なくとも１つの内側の食用に適する部分を含み；
前記外側の食用に適する部分は、１つの連続した全体において前記包装からの食品の前記組成の抽出を可能にするように、前記少なくとも１つの内側の食用に適する部分を少なくとも部分的に含む囲いを提供する食品。
【請求項２６】
請求項２２の配置であって、前記外側の食用に適する部分は、少なくとも前記に包装の一部の内側の面に適合する形状の外皮のような材料の層からなる配置。
【請求項２７】
請求項２３の配置であって、前記外皮のような材料は、硬くなった基底部およびより柔らかい上方へ延長している側面部分で構成される配置。
【請求項２８】
請求項２２から２４のいずれか１つの配置であって、前記外側の食用に適する部分は、前記組成の保管寿命のため、および、前記包装からの除去および消費間の前記形状を保持するために適応する配置。
【請求項２９】
請求項２２の配置であって、少なくとも１つの外側の食用に適する部分および前記少なくとも１つの内側の食用に適する部分は、ホイル小袋において囲まれ；前記小袋は楕円形の部分の細長いスリーブとして形成され；前記スリーブは第１の上端部および第２の下端部で閉じられ；前記閉じた上端部は、亀裂部を備える配置。
【請求項３０】
請求項２６の配置であって、前記少なくとも１つの外側の食用に適する部分は、第１の外側部分および第２の外側の部分を含み；前記第１および第２の外側部分は、前記内側の食用に適する部分でその間が満たされる一般に円柱状の空間を残すように各々成形され；前記外側のおよび内側の食用に適する部分の各々は、前記細長いスリーブの長さで本質的に延長する配置。
【請求項３１】
請求項２２の配置であって、食品の前記組成は、家庭のペット動物による消費のために適切なあらゆる成分で構成される配置。
【請求項３２】
請求項２２乃至２８のいずれか１つの配置であって、食品の前記組成は、分離した食品成分を含む配置。
【請求項３３】
請求項２９の配置であって、前記分離した食品成分は肉汁である配置。
【請求項３４】
請求項２９の配置であって、前記分離した食品成分はソースである配置。
【請求項３５】
請求項２９乃至３１のいずれか１つの配置であって、前記分離した食品成分は、小袋において封入される配置。
【請求項３６】
請求項２９乃至３１のいずれか１つの配置であって、前記分離した食品成分は、前記包装のより低い部分に位置する第２の仕切りにおいて封入される配置。
【請求項３７】
請求項２２乃至３３のいずれか１つの配置であって、前記包装は、基底部および閉止部分で構成される配置。
【請求項３８】
請求項２２乃至３３のいずれか１つの配置であって、前記基底部は、前記基底部の上部の端に対して密閉する第１の閉止部分、および、第２の閉止部分を密閉する前記第２の仕切りを備える配置。
【請求項３９】
請求項３５の配置であって、前記第１の閉止部分は、適切な粘着手段により前記基底部の前記端に取り付けられるシート・ホイルまたはプラスチック剥離蓋で構成される配置。
【請求項４０】
請求項３５または３６の配置であって、前記第２の閉止部分は、前記第２の仕切りを密封するため、中間の段、または、前記基底部の肩に取り付けられるホイルのシートである配置。
【請求項４１】
請求項３６の配置であって、前記小袋は前記剥離蓋の下側に取り付けられる配置。
【請求項４２】
請求項３６の配置であって、前記小袋はゆるく提供され；前記小袋は前記剥離蓋の下の窪みに存在する配置。
【請求項４３】
請求項２２乃至３２のいずれか１つの配置であって、前記に包装は円柱状の缶である配置。
【請求項４４】
請求項４０の配置であって、前記小袋は、前記円柱状の缶の上部の端の内側の面に取り付けられる配置。
【請求項４５】
請求項４０の配置であって、前記小袋はゆるく提供され；前記小袋は前記円柱状の缶の前記上部の端の下の窪みに存在する配置。
【請求項４６】
請求項２２の配置であって、前記少なくとも１つの内側の食用に適する部分は、ビスケットのような材料からなる配置。
【請求項４７】
請求項２２乃至４２のいずれか１つの配置であって、前記少なくとも１つの内側の食用に適する部分は、タンパク質供給源を保持するために適応する空洞を備える配置。
【請求項４８】
請求項４３または４４の配置であって、前記ビスケットのような材料は、骨によく似たもので形成される配置。
【請求項４９】
請求項２２乃至４３のいずれか１つの配置であって、前記外側の食用に適する部分は、本質的に肉製品で構成される配置。
【請求項５０】
請求項２２乃至２５の配置であって、前記包装は、ソーセージに似るように成形されるプラスチック外装で構成される配置。
【請求項５１】
請求項４７の配置であって、前記プラスチック外装は、本質的に前記外装の長さで延長するジッパー部分を備え；前記ジッパー部分は、連続した全体として前記外装から前記食用に適する組成の放出を可能にするために適応する配置。
【請求項５２】
請求項２２の配置であって、食品の前記組成は、分離した補助食品を含む配置。
【請求項５３】
請求項４９の配置であって、前記補助食品はビタミン剤である配置。
【請求項５４】
請求項４９の配置であって、前記補助食品は状態強化補助食品である配置。
【請求項５５】
請求項４９の配置であって、前記補助食品は治癒的な医薬の補助食品である配置。
【請求項５６】
請求項４９の配置であって、前記補助食品は予防的医薬の補助食品である配置。
【請求項５７】
請求項４９乃至５３のいずれか１つの配置であって、前記補助食品は、食品の前記組成の食用に適する部分において形成される空洞において保持される配置。
【請求項５８】
請求項４９乃至５３のいずれか１つの配置であって、前記補助食品は、小袋において保持される配置。
【請求項５９】
請求項５５の配置であって、前記小袋は、前記に包装のカバー部分の内部に取り付けられる配置。
【請求項６０】
家庭のペット動物に食品組成を与える方法であって、
次のステップ：
ａ．内側の食用に適する部分および外側の食用に適する部分として前記食品組成の準備、
ｂ．基底部および剥離蓋部分を含む包装における前記食品組成の包含、
ｃ．前記包装からの前記食品組成の除去、
ｄ．前記動物による消費のための前記食品組成の配置、を含む方法。
【請求項６１】
請求項５７に記載の方法であって、前記外側の食用に適する部分は、前記に包装する内側の面に適合するように形成された外皮のような材料の層の形である方法。
【請求項６２】
請求項５７に記載の方法であって、前記内側の食用に適する部分は、前記家庭のペット動物の給餌のために適切な食品成分のあらゆる組成で構成される方法。
【請求項６３】
包装された食品組成および混合可能な分離した食品成分を家庭のペット動物に与える方法であって；
次のステップ：
ａ．基底部および剥離蓋部分からなる包装に封入されるような前記食品組成の準備、
ｂ．小袋における前記混合可能な分離した食品成分の包囲、
ｃ．前記剥離蓋部分の下側への前記小袋の取り付け、
ｄ．前記パッケージからの前記食品組成の除去、
ｅ．前記食品組成の上への分配のため、前記小袋からの前記混合可能な食品成分の除去、を含む方法。
【請求項６４】
３つの並置された栄養含有構造からなる動物のための栄養的な組成であって、
第１の栄養含有構造は、タンパク質供給源を含む液体キャリアを含み；
第２の栄養含有構造は、繊維供給源を含む本質的に固体のキャリアを含み；
第３の栄養含有構造は、炭水化物供給源を含む大きいゲル・キャリアを含む栄養的な組成。
【請求項６５】
請求項６１に記載の栄養的な組成であって、前記タンパク質供給源は、分離した肉汁食品成分において少なくとも部分的に提供される栄養的な組成。
【請求項６６】
請求項６１に記載の栄養的な組成であって、前記タンパク質供給源は、分離したソース食品成分において、少なくとも部分的に提供される栄養的な組成。
【請求項６７】
請求項６１に記載の栄養的な組成であって、前記繊維供給源は、前記組成のビスケットのような部分において本質的に提供される栄養的な組成。
【請求項６８】
請求項６１に記載の栄養的な組成であって、前記炭水化物供給源は、前記組成のビスケットのような部分において本質的に提供される栄養的な組成。
【請求項６９】
請求項６１に記載の栄養的な組成であって、前記本質的に固体のキャリアは、前記大きいゲル・キャリアのための少なくとも部分的な囲いを形成し；前記部分的な囲いは基底部および側面部分を含む栄養的な組成。
【請求項７０】
請求項６１に記載の栄養的な組成であって、前記本質的に固体のキャリアは、前記大きいゲル・キャリアの完全な囲いを形成する栄養的な組成。
【請求項７１】
請求項６６または６７に記載の栄養的な組成であって、前記組成は包装に封入される栄養的な組成。
【請求項７２】
請求項６６または６７に記載の栄養的な組成であって、前記液体キャリアは、前記包装の範囲内で含まれる小袋において封入される栄養的な組成。
【請求項７３】
請求項６６または６８に記載の栄養的な組成であって、前記包装は、基底部および少なくとも１つの閉止部分で構成される栄養的な組成。
【請求項７４】
請求項７０に記載の栄養的な組成であって、前記基底部および前記少なくとも１つの閉止部分は、プラスチックまたはホイルで形成される栄養的な組成。
【請求項７５】
請求項６１に記載の栄養的な組成であって、前記液体キャリアは、前記本質的に固体のキャリアにおいて提供される空洞において封入される栄養的な組成。
【請求項７６】
請求項６１に記載の栄養的な組成であって、前記液体キャリアは、前記に包装する第２の密封された仕切りにおいて封入される栄養的な組成。
【請求項７７】
請求項６１に記載の栄養的な組成であって、前記本質的に固体のキャリアは、前記大きいゲル・キャリアに包まれる栄養的な組成。
【請求項７８】
請求項６１乃至７４のいずれか１つに記載の栄養的な組成であって、前記組成は包装において封入される栄養的な組成。
【請求項７９】
請求項７５に記載の栄養的な組成であって、前記包装はプラスチック外装からなる栄養的な組成。
【請求項８０】
２つの並置された栄養含有構造を含む動物のための栄養的な組成であって、第１の栄養含有構造は、タンパク質供給源を含む液体キャリアを含み、第２の栄養含有構造は、繊維供給源を含む本質的に固体のキャリアを含む栄養的な組成。
【請求項８１】
請求項７７に記載の栄養的な組成であって、前記組成は、炭水化物供給源を含む大きいゲル・キャリアを含む栄養含有構造をさらに含む栄養的な組成。
【請求項８２】
２つの並置された栄養含有構造からなる動物のための栄養的な組成であって、第１の栄養含有構造は、繊維供給源を含む本質的に固体のキャリアを含み、第２の栄養的な構造は、炭水化物供給源を含む大きいゲル・キャリアを含む栄養的な組成。
【請求項８３】
請求項７９に記載の栄養的な組成であって、前記組成は、タンパク質供給源を含む液体キャリアを含む栄養含有構造をさらに含む栄養的な組成。
【請求項８４】
２つの並置された栄養含有構造を含む動物のための栄養的な組成であって、第１の栄養含有構造は、タンパク質供給源を含む液体キャリアを含み、第２の栄養的な構造は炭水化物供給源を含む大きいゲル・キャリアを含む栄養的な組成。
【請求項８５】
請求項８１に記載の栄養的な組成であって、前記組成は、繊維供給源を含む本質的に固体のキャリアからなるさらに栄養含有構造を含む栄養的な組成。
【請求項８６】
動物の栄養的な組成のための包装であって；前記包装は、少なくともホイル材料の第１のシートおよび第２のシートを含み；前記第１のシートおよび前記第２のシートの各々は、細長い一般に楕円形の部分のおおいを形成するために包まれ、ここにおいて、各々の前記シートの対向する端の対応する対は、第１の内側の囲いおよび第２の外側の囲いを定義するように、前記楕円形の部分の長さに延長する共通の継ぎ目を形成するため一緒に導かれる。
【請求項８７】
請求項８３の包装であって、前記内側と外側の囲いの前記細長い楕円形の部分の各々の上下の端は、封止される包装。
【請求項８８】
請求項８３または８４の包装であって、前記包装の上部の部分は、前記上部の部分の除去のために適応したもろい領域を備える包装。
【請求項８９】
請求項８３乃至８５のいずれか１つの包装であって、前記内側の囲いは、流動可能な栄養的な物質を含むように適応し；前記第２の外側の囲いは、比較的固体の粗挽きの穀物組成を含むように適応する包装。
【請求項９０】
動物の栄養的な組成のための包装であって；
前記包装は、ホイル材料の少なくとも３つの一般に矩形のシートの層で形成され；前記シートの各々は、対向する端の対応する第１の対で一緒に結合され、ここにおいて、対向する連続したシートの端の前記第１の対の間の大きさは、第１の一番上のシートから一番低いシートまで増加し；前記第１の一番上のシートは、前記一番上のシートおよび中間のより低いシート間の第１の囲い、および、前記中間のより低いシートおよび前記一番低いシート間の第２の囲いを形成するように、連続したより低いシートの各々が凹形の形状を呈する一般に平坦な表面を形成する包装。
【請求項９１】
動物の栄養的な組成のための包装であって、
前記包装は、イヌ骨としての部分において成形され；前記包装は、２つの外部仕切りおよび中間仕切りを含む３つの仕切りに分割され；前記包装は、後部蓋板および前部蓋板をさらに備える包装。
【請求項９２】
請求項８８の包装であって、前記前部蓋板は移動可能な部分を含む包装。
【請求項９３】
請求項８８または８９の包装であって、前記外部仕切りは、比較的固体の粗挽きの穀物栄養的な組成を含むように適応し；前記中間仕切りは流動可能な物質を含むように適応する包装。
【請求項９４】
請求項９０の包装であって、前記流動可能な物質は肉汁である包装。
【請求項９５】
請求項９０の包装であって、前記流動可能な物質は治療的な物質である包装。
【請求項９６】
請求項８８の包装であって、前記２つの外部仕切りは、比較的流動可能な食用に適する組成を含む包装。
【請求項９７】
動物の栄養的な組成のための包装であって；
前記包装は魚としての部分で成形され；
前記包装は、２つの外部仕切りおよび中間仕切りを含む３つの仕切りに分割され；
前記包装は基底部を含み；
前記外部仕切りおよび中間仕切りは、前記基底部から上方に延長する分割要素を有する外部の外皮によって定義され；
前記包装は、前記外部の外皮および前記分割要素の上部の端に、剥離可能に取り付けられる密閉カバーをさらに備える包装。
【請求項９８】
請求項９４の包装であって、前記外部仕切りは、流動可能な食用に適する組成を含むように適応し；前記中間仕切りは、比較的固体の粗挽きの穀物の栄養的な組成を含むように適応する包装。
【請求項９９】
請求項９４または９５の包装であって、前記流動可能な組成は肉汁である包装。
【請求項１００】
請求項９４または９５の包装であって、前記流動可能な組成は治療的な物質である包装。
【請求項１０１】
請求項９４の包装であって、前記中間仕切りは、比較的流動可能な食用に適する組成を含み；前記２つの外部仕切りは、比較的固体の食用に適する組成を含む包装。
【請求項１０２】
ペット動物のための少なくとも２つの食用に適する組成を含む包装であって；
容器の形の前記包装は、基底部および前記基底部から上方へ延長している側面部分を含み；前記容器は、第１の前記少なくとも２つの食用に適する組成を含む上部の仕切り、および、第２の前記少なくとも２つの食用に適する組成を含むより低い仕切りに分割され；前記上部の仕切りおよび前記より低い仕切りは、分割要素によって分割され；
ここにおいて、第１の前記少なくとも２つの食用に適する組成は、内側の食用に適する部分を少なくとも部分的に封入する外側の食用に適する部分を含み、およびここにおいて、第２の前記少なくとも２つの食用に適する組成は、流動可能な栄養的な物質を含む包装。
【請求項１０３】
請求項９９の包装であって、前記外側の食用に適する部分は、基底部および少なくとも上方へ延長している側面部分を形成するビスケットのような材料の外皮を含む包装。
【請求項１０４】
ペット動物のための食用に適する組成および包装であって；
ボウルのような外部の外皮の形の前記包装は、基底部および外側の周縁端に上方へ延長する側面を含み；前記包装は、前記基底部から内側の周縁端へ上方に延長する一体的に形成された内部容器を含み；前記ボウルのような外部の外皮および前記内部容器は、一部を含む第１の外側の食用に適する組成および一部を含む第２の内部の食用に適する組成を含む包装。
【請求項１０５】
請求項１００の食用に適する組成および包装であって、前記外側の縁および前記内側の縁は、共通の平面に存在する食用に適する組成および包装。
【請求項１０６】
請求項１０２の食用に適する組成および包装であって、前記包装は、前記外側の縁および前記内側の縁を有する密閉係合のために適応するカバー部分をさらに備える食用に適する組成および包装。
【請求項１０７】
請求項１０１乃至１０３のいずれか１つの食用に適する組成および包装であって、前記外側の食用に適する組成は、一般に固体の食品組成からなる食用に適する組成および包装。
【請求項１０８】
請求項１０１乃至１０４の食用に適する組成および包装であって、前記内側の食用に適する組成は、流動可能な食品組成を含む食用に適する組成および包装。
【請求項１０９】
請求項１０４または１０５の食用に適する組成および包装であって、前記一般に固体の食品組成は、少なくとも部分的に内側の粗挽きの穀物およびゲル組成を封入するビスケットのような材料の外側の外皮を含む食用に適する組成および包装。
【発明の詳細な説明】
【技術分野】
【０００１】
本発明は、食用に適する組成または組合せ、および、食品アイテムの包装に関し、特にペット動物のためのそのような食品アイテムに関連する。
【背景技術】
【０００２】
動物を飼う楽しみ、交わり、および時としてその効用は、多くの社会の特徴である。このような動物の給餌の実行は、動物による残飯の清掃から、例えばネコおよびイヌのように特に飼いならされたペット動物のために特別に準備された「グルメな」食事にまで及ぶ。
【０００３】
特にネコおよびイヌのための前もって調理され、包装された食品を提供する業界は、非常に大きく、極めて競争的である。製造業者は、絶えず新しいマーケティング機会、製品および包装表現を捜している。
【０００４】
このような食品の用意の多くが、それらの包装から搾り出すのに汚く、不都合であり、多くの場合、無駄になる残留物が包装の内側の面にくっついて残る。さらに、多くは、動物の健康状態を維持するために望ましいようなバランスのよい食餌を提供しない。
【０００５】
そのうえ、他のペット食品の用意は、それを消費する動物の食餌において少ない種類しか提供しないような、単一の乾燥した組成である。
【０００６】
動物は、しばしばビタミン、調節および規則的な様々な予防的および治癒的な医薬の補助食品を必要とする。これらは、多くの場合管理するのが困難であり、不便な追加的な入手、貯蔵および正しいおよび規則的な投与を維持する規律体制を必要とする。
【０００７】
いくつかの上記の不都合に対処するまたは改善することは、本発明の目的である。
【発明の開示】
【０００８】
したがって、発明の１つの幅広い形状において、主要な容器および二次的な容器を備える食品原料のための包装システムが提供され、そこにおいて、前記主要な容器は、前記二次的な容器を囲うように適応し；前記二次的な容器は、前記主要な容器の開けられる部分に取り付けられる。
【０００９】
好ましくは、前記主要な容器は、プラスチック剥離カバーを備えたプラスチック容器である。
【００１０】
好ましくは、前記二次的な容器は、前記プラスチック剥離カバーの下側に取り付けられるプラスチック小袋である。
【００１１】
好ましくは、前記小袋は前記プラスチック剥離カバーおよび前記小袋が最適に操作される場合、前記小袋の少なくとも１つの表面において開口部を提供するために裂けるように適応する弱い線を備える。
【００１２】
好ましくは、前記主要な容器は、ブリキ缶である。
【００１３】
好ましくは、前記二次的な容器は、前記ブリキ缶の一端の下側に取り付けられるプラスチック小袋である。
【００１４】
好ましくは、前記主要な容器は、食事のために準備された主な成分で満たされる。
【００１５】
好ましくは、前記小袋は、補助成分で満たされる。
【００１６】
好ましくは、前記補助成分は、ソースである。
【００１７】
好ましくは、前記補助成分は、肉汁である。
【００１８】
好ましくは、前記補助成分は、調味料である。
【００１９】
好ましくは、前記補助成分は、調味料の薬剤である。
【００２０】
好ましくは、前記補助成分は、ビタミン剤である。
【００２１】
好ましくは、前記補助成分は、医薬の補助食品である。
【００２２】
好ましくは、前記準備された主な成分で充填される前記主要な容器は、前記小袋の補助成分の範囲で得られるように作成される。
【００２３】
好ましくは、前記主要な容器は、前記小袋の含量を示すしるしを備える。
【００２４】
したがって、発明のさらに幅広い形状において、準備された食品の補助成分を供給する方法が提供される。前記方法は、以下のステップを含む：
（ａ） 二次的な容器を囲む主要な容器の中で容器システムの提供、
（ｂ） 前記主要な容器への準備された食事の主な成分の充填、
（ｃ） 前記二次的な容器への前記準備された食事のための補助成分の充填。
【００２５】
好ましくは、前記主要な容器は、剥離蓋を有するプラスチック容器である。
【００２６】
好ましくは、前記二次的な容器は、前記剥離蓋の下側に取り付けられる小袋である。
【００２７】
好ましくは、前記主要な容器は、ブリキ缶である。
好ましくは、前記二次的な容器は、前記ブリキ缶の一端の下側に取り付けられる小袋である。
【００２８】
発明のまたさらに幅広い形状において、包装配置および食品の組成を含む食品が提供され；前記食品の組成は、少なくとも１つの外側の食用に適する部分および少なくとも１つの内側の食用に適する部分を含み；前記外側の食用に適する部分は、隣接する全体における前記包装からの食品の前記組成の抽出を可能にするように前記少なくとも１つの内側の食用に適する部分のための少なくとも部分的に含む囲いを提供する。
【００２９】
好ましくは、前記外側の食用に適する部分は、前記包装の少なくとも一部の内側の面に適合する形状の外皮のような材料の層からなる。
【００３０】
好ましくは、前記外皮のような材料は、硬くなられた基底部およびより柔らかい上方へ延長している側面部分から構成される。
【００３１】
好ましくは、前記外側の食用に適する部分は、前記組成、および、前記包装と消費からの除去間の保管寿命のための前記形状を保持するために適応する。
【００３２】
好ましくは、少なくとも１つの外側の食用に適する部分および前記少なくとも１つの内側の食用に適する部分は、ホイル小袋において封入される；前記小袋は、楕円形の部分の細長いスリーブとして形成される；前記スリーブは、第１の上端部および第２の下端部で閉じられる；前記閉じた上端部は、切り取り部分を備える。
【００３３】
好ましくは、前記少なくとも１つの外側の食用に適する部分は、第１の外側の部分と第２の外側の部分を備え；前記第１および第２の外側の部分の各々は、前記内側の食用に適する部分でそれらの間を満たすように一般に円柱状の空間を残すように成形され；前記外側のおよび内側の食用に適する部分の各々は、前記細長いスリーブの長さにおいて本質的に延長する。
【００３４】
好ましくは、食品の前記組成は、家庭のペット動物による消費に適切なあらゆる成分で構成される。
【００３５】
好ましくは、食品の前記組成は、分離した食品成分を含む。
【００３６】
好ましくは、そこにおいて、前記分離した食品成分は、肉汁である。
【００３７】
好ましくは、前記分離した食品成分は、ソースである。
【００３８】
好ましくは、前記分離した食品成分は、小袋において封入される。
【００３９】
好ましくは、前記分離した食品成分は、前記包装のより低い断面に位置する第２の区分において封入される。
【００４０】
好ましくは、前記包装は、基底部および閉止部分で構成される。
【００４１】
好ましくは、前記基底部は、前記基底部の上部の端に対して密閉する第１の閉止部分および前記第２の区分に対して密閉する第２の閉止部分を備える。
【００４２】
好ましくは、前記第１の閉止部分は、シート・ホイル、または、適切な粘着手段によって前記基底部の前記端に取り付けられるプラスチック剥離蓋から構成される。
【００４３】
好ましくは、前記第２の閉止部分は、中間のステップで取り付けられるホイルのシートまたは前記第２の区分を密閉するための前記基底部の肩である。
【００４４】
好ましくは、前記小袋は、前記剥離蓋の下側に取り付けられる。
【００４５】
好ましくは、前記小袋はゆるく提供される；前記小袋は、前記剥離蓋の下の窪みに存在している。
【００４６】
好ましくは、前記包装は、円柱状の缶である。
【００４７】
好ましくは、前記小袋は、前記円柱状の缶の上端部の内側の面に取り付けられる。
【００４８】
好ましくは、前記小袋はゆるく提供される；前記小袋は、前記円柱状の缶の前記上部の端の下の窪みに存在している。
【００４９】
好ましくは、前記少なくとも１つの内側の食用に適する部分は、ビスケットのような材料で構成される。
【００５０】
好ましくは、前記少なくとも１つの内側の食用に適する部分は、タンパク質供給源を保持するために適応する空洞を備える。
【００５１】
好ましくは、前記ビスケットのような材料は、骨によく似たものにおいて形成される。
【００５２】
好ましくは、前記外側の食用に適する部分は、本質的に肉製品で構成される。
【００５３】
好ましくは、前記包装は、ソーセージに似るように成形されるプラスチック外装で構成される。
【００５４】
好ましくは、前記プラスチック外装は、本質的に前記外装の長さで延長するジッパー部分を備える；前記ジッパー部分は、連続した全体部として前記外装から前記食用に適する組成の放出を可能にするために適応する。
【００５５】
好ましくは、食品の前記組成は、分離した補助食品を含む。
【００５６】
好ましくは、前記補助食品は、ビタミン剤である。
【００５７】
好ましくは、前記補助食品は、状態を強化する補助食品である。
【００５８】
好ましくは、前記補助食品は、治癒的な医薬の補助食品である。
【００５９】
好ましくは、前記補助食品は、予防的医薬の補助食品である。
【００６０】
好ましくは、前記補助食品は、食品の前記組成の食用に適する部分において形成される空洞において保持される。
【００６１】
好ましくは、前記補助食品は、小袋において保持される。
【００６２】
好ましくは、前記小袋は、前記包装のカバー部分の内部に取り付けられる。
【００６３】
発明のさらにまた幅広い形状において、家庭のペット動物への食品組成を示す方法が提供され；前記方法は、以下のステップを含む：
（ａ）内側の食用に適する部分および外側の食用に適する部分として前記食品組成の準備、
（ｂ）基底部および剥離蓋部分を含む包装における前記食品組成の包含；
（ｃ）前記包装からの前記食品組成の除去、
（ｄ）前記動物による消費のための前記食品組成の配置。
【００６４】
好ましくは、前記外側の食用に適する部分は、前記に包装する内側の面に適合するように成形される外皮のような材料の層の形である。
【００６５】
好ましくは、前記内側の食用に適する部分は、前記家庭のペット動物の給餌のために適切な食品成分のあらゆる組成で構成される。
【００６６】
発明のまたさらに幅広い形状において、家庭のペット動物に対する包装された食品組成、および、混合可能な分離した食品成分を示す方法が提供される；前記方法は以下のステップからなる：
（ｅ）基底部および剥離蓋部分を含む包装の囲いのための前記食品組成の準備、
（ｆ）前記混合可能な分離した食品成分の小袋における封入、
（ｇ）前記剥離蓋部分の下側への前記小袋の取り付け、
（ｈ）前記包装からの前記食品組成の除去、
（ｉ）前記食品組成の上への分配のため、前記小袋からの前記混合可能な食品成分の除去。
【００６７】
発明のまたさらに幅広い形状において、３つの並置された栄養を含む構造からなる動物のための栄養を含む組成が提供される；第１の栄養を含む構造は、タンパク質供給源を含む液体キャリアからなり；第２の栄養を含む構造は、繊維供給源を含む本質的に固体の通信キャリアからなり；第３の栄養を含む構造は、炭水化物供給源を含む大きいゲル・キャリアからなる。
【００６８】
好ましくは、前記タンパク質供給源は、分離した肉汁食品成分において、少なくとも部分的に提供される。
【００６９】
好ましくは、前記タンパク質供給源は、分離したソース食品成分において、少なくとも部分的に提供される。
【００７０】
好ましくは、前記繊維供給源は、前記組成のビスケットのような部分において、本質的に提供される。
【００７１】
好ましくは、前記炭水化物供給源は、前記組成の前記ビスケットのような部分において本質的に提供される。
【００７２】
好ましくは、前記本質的に固体のキャリアは、少なくとも前記大きいゲル・キャリアのための部分的な囲いを形成し；前記部分的な囲いは、基底部および側面部分を含む。
【００７３】
好ましくは、前記本質的に固体のキャリアは、前記大きいゲル・キャリアの完全な囲いを形成する。
【００７４】
好ましくは、前記組成は、包装において封入される。
【００７５】
好ましくは、前記液体キャリアは、前記包装の範囲内で含まれる小袋において封入される。
【００７６】
好ましくは、前記包装は、基底部および少なくとも１つの閉止部分から形成される。
【００７７】
好ましくは、前記基底部および前記少なくとも１つの閉止部分は、プラスチックまたはホイルで形成される。
【００７８】
好ましくは、前記液体キャリアは、前記本質的に固体のキャリアにおいて提供される空洞において封入される。
【００７９】
好ましくは、前記液体キャリアは、前記包装の第２の密封された仕切りにおいて封入される。
【００８０】
好ましくは、前記本質的に固体のキャリアは、前記大きいゲル・キャリアに包まれる。
【００８１】
好ましくは、前記組成は、包装において封入される。
【００８２】
好ましくは、前記包装は、プラスチック外装で構成される。
【００８３】
発明のまたさらに幅広い形状において、２つの並置された栄養を含む構造からなる動物のための栄養的な組成が提供され；第１の栄養を含む構造は、タンパク質供給源を含む液体キャリアからなり、第２の栄養を含む構造は、繊維供給源を含む本質的に固体のキャリアからなる。
【００８４】
好ましくは、前記組成は、炭水化物供給源を含む大きいゲル・キャリアからなるさらに栄養を含む構造からなる。
【００８５】
発明のまたさらに幅広い形状において、２つの並置された栄養を含む構造からなる動物のための栄養的な組成が提供される；第１の栄養を含む構造は、繊維供給源を含む本質的に固体のキャリアからなり、第２の栄養を含む構造は、炭水化物供給源を含む大きいゲル・キャリアからなる。
【００８６】
好ましくは、前記組成は、タンパク質供給源を含んでいる液体キャリアからなるさらに栄養を含む構造を含む。
【００８７】
発明のまたさらに幅広い形状において、２つの並置された栄養を含む構造からなる動物のための栄養的な組成が提供される；第１の栄養を含む構造は、タンパク質供給源を含む液体キャリアからなり、第２の栄養を含む構造は、炭水化物供給源を含む大きいゲル・キャリアからなる。
【００８８】
好ましくは、前記組成は、繊維供給源を含む本質的に固体のキャリアからなるさらに栄養を含む構造を含む。
【００８９】
発明のさらにまた幅広い形状において、動物のための栄養的な組成のための包装が提供される；前記包装は、少なくとも第１のシートおよび第２のホイル材料のシートを含む；前記第１のシートおよび前記第２のシートの各々は、細長い一般に楕円形の部分のおおいを形成するために包まれ、ここにおいて、各々の前記シートの各々の対応する端の対応する対は、第１の内側の囲いおよび第２の外側の囲いを定義するように前記楕円形の部分の長さから延長する共通の継ぎ目を形成するため、一緒に導かれる。
【００９０】
好ましくは、前記内側と外側の囲いの各々の前記細長い楕円形の部分の上下の端は、封止される。
【００９１】
好ましくは、前記包装の上部は、前記上部の部分の除去のために適応するもろい領域を備える。
【００９２】
好ましくは、前記内側の囲いは、流動可能な栄養的な物質を含むように適応し；前記第２の外側の囲いは、比較的固体の粗挽きの穀物の組成を含むように適応する。
【００９３】
発明のさらに幅広い形状において、動物のための栄養的な組成のための包装が提供される；前記包装は、ホイル材料の少なくとも３つの一般に矩形のシートの層で形成され；前記シートの各々は対向する端の対応する第１の対で一緒に結合され；ここにおいて、連続したシートの端の対向する前記第１の対の間の大きさは、第１の一番上のシートから一番下のシートまで増加し；前記第１の一番上のシートは、前記一番上のシートおよび中間のより低いシート間の第１の囲い、および、前記中間のより低いシートおよび前記一番低いシート間の第２の囲いを形成するように各々の連続したより低いシートが凹形の形状を呈して一般に平坦な表面を形成する。
【００９４】
発明のまたさらに幅広い形状において、動物のための栄養的な組成のための包装が提供される；前記包装は、イヌ骨としての部分において成形され；前記包装は、２つの外部仕切りおよび中間仕切りからなる３つの仕切りに分割され；前記包装は、後部蓋板および前部蓋板をさらに備える。
【００９５】
好ましくは、前記前部蓋板は、移動可能な部分を含む。
【００９６】
好ましくは、前記外部仕切りは、比較的固体の粗挽きの穀物の栄養的な組成を含むために適応し；前記中間仕切りは、流動可能な物質を含むために適応する。
【００９７】
好ましくは、前記流動可能な物質は、肉汁である。
【００９８】
好ましくは、前記流動可能な物質は、治療的な物質である。
【００９９】
好ましくは、前記２つの外部仕切りは、比較的流動可能な食用に適する組成を含む。
【０１００】
発明のさらにまた幅広い形状において、動物のための栄養的な組成のための包装は提供される；前記包装は、魚としての部分において成形され；前記包装は、２つの外部仕切りおよび中間仕切りを含む３つの仕切りに分割され；前記包装は基底部を含み；前記外部仕切りおよび中間仕切りは、分割要素が前記基底部から上方に延長して外側の外皮によって定義され；前記包装は、前記外側の外皮および前記分割要素の上部の端に剥離可能に取り付けられる密閉カバーをさらに備える。
【０１０１】
好ましくは、前記外部隔室は、流動可能な食用に適する組成を含むために適応し；前記中間仕切りは、比較的固体の粗挽きの穀物の栄養的な組成を含むために適応する。
【０１０２】
好ましくは、前記流動可能な組成は、肉汁である。
【０１０３】
好ましくは、前記流動可能な組成は、治療的な物質である。
【０１０４】
好ましくは、前記中間仕切りは、比較的流動可能な食用に適する組成を含み；前記２つの外部仕切りは、比較的固体の食用に適する組成を含む。
【０１０５】
発明のさらにまた幅広い形状において、ペット動物のための少なくとも２つの食用に適する組成を含む包装が提供される；容器の形の前記包装は、前記基底部から上方へ延長する基底部および側面部分を含み；前記容器は、第１の前記少なくとも２つの食用に適する組成を含む上部の仕切り、および、第２の前記少なくとも２つの食用に適する組成を含むより低い仕切りに分割され；前記上部の仕切りおよび前記より低い仕切りは、分割要素によって分割され；ここにおいて、第１の前記少なくとも２つの食用に適する組成は、少なくとも部分的に内側の食用に適する部分を封入する外側の食用に適する部分を含み、そして、第２の前記少なくとも２つの食用に適する組成は、流動可能な栄養を含む物質を含む。
【０１０６】
好ましくは、前記外側の食用に適する部分は、基底部を形成するビスケットのような材料の外皮、および、少なくとも上方へ延長している側面部分を含み；前記基底部および前記側面部分は、前記上部の仕切りの内側の表面に本質的に適合している。
【０１０７】
発明のまたさらに幅広い形状において、ペット動物のための食用に適する組成および包装が提供される；ボウルのような外部の外皮の形の前記包装は、外側の周縁端に上方へ延長する基底部および側面を含み；前記包装は、前記基底部から内側の周縁端まで上方へ延長している一体的に形成された内部容器を含み；前記ボウルのような外部の外皮および前記内部容器は、第１の外側の食用に適する組成を含む部分、および、第２の内部食用に適する組成を含む部分を成形する。
【０１０８】
好ましくは、前記外側の縁および前記内側の端が、共通の平面に存在する。
【０１０９】
好ましくは、前記包装は、前記外側の縁および前記内側の端との係合を封止するために適応するカバー部分をさらに含む。
【０１１０】
好ましくは、前記外側の食用に適する組成は、一般に固体の食品組成を含む。
【０１１１】
好ましくは、前記内側の食用に適する組成は、流動可能な食品組成を含む。
【０１１２】
好ましくは、前記一般に固体の食品組成は、内側の粗挽きの穀物およびゲル組成を少なくとも部分的に封入するビスケットのような材料の外側の外皮を含む。
【発明を実施するための最良の形態】
【０１１３】
本発明は、ペット食品において望ましい３つの主な要素の組合せ、すなわち、様々な組成および包装における味覚、風味および栄養の提供を要求する。本発明の３つの要素は、以下に詳細に記載される包装の好適な実施例の範囲内の多くの異なる食用に適する構成要素のいずれかまたは全部において組み込まれる可能性がある。
【０１１４】
第１の好適な実施例
図１および図２に関して、第１の本発明の好ましい実施例による包装システム１０は、剥離プラスチック・カバー１４を有するプラスチックの主要な容器１２からなる。一般的に、プラスチック・カバー１４は、容器１２の隅で提供される、または、円形または楕円形の容器の場合、適切な突設している拡張部分で提供される、または、円形または楕円形の容器の場合、適切な突設している拡張部分で提供される引き上げタブ１６を備える可能性がある。このようなタブはまた、一般的に容器１２の端２０のタブ部分１８の上に横たわり、端のタブ部分が切り離されるのを可能にするために適応する弱められた線２２によって端１８の主な部分から分割され、カバーのタブ部分と共に端のないカバーを引く把持部を提供する。
【０１１５】
主要な容器１２およびカバー１４は、補助成分２６を含むための小袋２４の形でカバー１４の下側に取り付けられる二次的な容器を囲む。好ましくは、小袋２４は、小袋の内容がそれらの内容に適用される場合、容器の主要な成分２８上の補助成分の満足な効果を提供するために容器１２の容積と関連して大きさを設定される。
【０１１６】
この第１の実施例において、図３において最もよく示されるように、小袋２４は主要な内容２８の窪み３０に収容される。この実施例の少なくとも１つの好ましい形状において、小袋２４は、小袋の下側３４の長さで本質的に延長する分割ライン３２を備える可能性がある。分割ライン３２は、補助成分の放出のために開口部を提供するように可撓性の剥離カバー１４が分割ラインの方向を横切る屈曲動作によって処理される場合、裂けるために適応する弱められたプラスチックの領域である。
【０１１７】
第２の好適な実施例
図４および図５に関する第２の好適な実施例において、包装システム１００は、それぞれ底部および上端部１０４および１０６、および、円柱状の側面１０８を有するブリキ製の缶１０２を含む。本実施例において、補助的な成分１０８または小袋１１０に含まれたものは上端部１０６の下側に取り付けられる。この実施例においてまた、小袋１１０の容積は、小袋の内容がそれらの主要な成分に適用される場合、容器の主要な成分１１２上の補助成分の満足な効果を提供するようにブリキ製の缶１０２の容積と関連して大きさを設定される。
【０１１８】
この実施例の少なくとも１つの好ましい形状において、小袋１１０は、プルタブ１１６によって上端部１０６の下側表面１１４から着脱可能である。小袋１１０は、それから、例えば操作しやすい弱点の領域によって開けられ、小袋に開口部を提供するように分離される、または、適切な切断器具で小袋の角が切断される可能性がある。
【０１１９】
補助成分を含む小袋は、食品のあらゆる適切な容器の内側の面に取り付けられる可能性があり、上記した２つの実施例の容器に制限される必要はない。したがって、例えばに風味をつけられた小袋がアイスクリーム容器の内部に取り付けられる可能性がある、または、様々なソースが魚の缶詰内部で供給される可能性がある。
【０１２０】
特定の主要な成分は、様々な補助成分での消費のために適切である可能性がある。主要な容器はそれから、小袋に含まれる特定の補助成分の性質を示しるしが供給される可能性がある。
【０１２１】
本発明のさらなる好適な実施例において、小袋は、予防的および治癒的な医薬の化合物と同様にビタミンの補助食品のためのキャリアとして使われる可能性がある。
【０１２２】
第３の好適な実施例
図６に関して、ペット食品２１０の包装された食用に適する組成は、外部の外皮２１８および剥離カバー部分２２０からなる包装２１６において封入される外側の食用に適する部分２１２および内側の食用に適する部分２１４から構成される。
【０１２３】
食用に適する外側部分２１２は、この実施例の少なくとも１つの好ましい形状において、内側の食用に適する部分２１４が包装２１６の外部の外皮２１８の内側の表面２２２と接触しないように、少なくとも部分的に食用に適する内側の部分２１４を囲み、保持するために適応する容器を形成している外皮のような材料の層から構成される。外皮のような材料の層は、例えばビスケットの組成であってもよく、包装２１６の外部の外皮２１８の内側の表面２２２に適合するために成形される。少なくとも１つのさらに好ましい形状において、食用に適する外側部分２１２は、ペストリー・タイプの外皮であってもよい。
【０１２４】
好ましくは、必ずではないが、外側の食用に適する部分２１２の基底部２２４は、上方へ延長している縁部分２２６より厚いまたは硬い組成である。少なくとも１つの好ましい形状において、外側の食用に適する部分２１２または少なくともその基底部は、動物の食餌において繊維を提供するために適応する組成である。
【０１２５】
外側の食用に適する部分２１２の組成に関係なく、製品の保管寿命のための内側の食用に適する部分の保持のその特性と同じく包装されるように、その本来の形状を保持するように適応する。同様に、その特性は包装の内側の表面２２２にくっつかないことなので、内側と外側の両方の食用に適する部分は、用途のために必要とされる場合、包装から容易に移動可能であり、消費する動物に処理されるまで食用に適する組成の形状は保持される。
【０１２６】
内側の食用に適する部分２１４は、例えばゲルの基質において保たれるかなりの量の肉のようにあらゆる適切なペット食品で構成される可能性があり、味覚、風味および栄養の特性のために調製される。代替的に、内側の食用に適する部分は、乾燥ペレット化された食品成分から構成される可能性がある。
【０１２７】
また図６に関して、パックされた食用に適する組成２１０は、混合可能な分離した食品成分２２８を含む。食品成分２２８は小袋２３０に含まれ、図７に示すように、内側の食用に適する部分２１４の上部の表面２３４の一般に中央において窪み２３２を満たすように配置される。この実施例の少なくとも１つの好ましい形状において、図８に示すように、小袋２３０は、包装２１６の剥離カバー部分２２０の下側２３６に取り付けられる。
【０１２８】
分離した食品成分２２８は、例えば肉汁、または、食用に適する組成の内側および外側の両方の食用に適する部分に調味料、水分および栄養を加えるように適応するソースである可能性がある。分離した食品成分２２８は、追加的なタンパク質供給源としてさらに調製される可能性がある。
【０１２９】
包装２１６の外部の外皮２１８は、好ましくは小型でリサイクルされたプラスティックまたはホイルで形成される。剥離カバー部分２２０は、適切なホイルまたはプラスティックシート材である可能性があり、外部の外皮２１８のリム２３８に例えば接着剤、または熱、または超音波溶接などの適切な方法によって連結される。便宜上、包装２１６は、外皮２１８上で外側に延在するタブ２４０（図７に破線で示す）と、図８に示すように剥離カバー部分２２０上の対応するタブ２４２と共に備えられる。
基底部タブ２４０は、十分な力が適用される場合、タブ２４０をはめるのを可能にするために適応する穿孔２４２を備える可能性があり、剥離カバー・タブ部分２４２に取り付けられたままであることによって、カバー２２０の剥離を可能にする便利な把持要素を提供する。
【０１３０】
包装２１６は、図６乃至図８に示されるように例えば円形のようなあらゆる便利な形状、または、楕円形、正方形、矩形、菱形、または円柱状の形状である可能性がある。
【０１３１】
使用において、剥離カバー部分２２０は、外部の外皮２１８から除去される。カバー部分の下側に取り付けられる場合、これは内側の食用に適する部分２１４の窪み２３２から小袋２３０も引く。食用に適する外側部分２１２および食用に適する内側の部分２１４は、それから連続した全体部として包装２１６の外部の外皮２１８から直ちに摺動し、意図された動物の消費者の例えば飼料ボウルにおいて清潔に堆積する。小袋２３０はそれから貫通され、その内容は内側と外側の食用に適する部分に拡がる。
【０１３２】
第４の好適な実施例
さらなる本発明の好ましい実施例において、外側の食用に適する部分は、内側の食用に適する部分の完全な囲いとして提供され、これは、同じ食用に適する組成の蓋部分を有する基底部および側面で構成される。
【０１３３】
配置の特定の利点は、その改善された保管寿命である。
【０１３４】
第５の好適な実施例
図９に関するさらにまた本発明の好ましい実施例において、食用に適する組成３００は、ビスケットのような製品の形で内側の食用に適する部分３１０、および、本質的に肉製品の形で外側の食用に適する部分３１２から構成される。
【０１３５】
内側の食用に適する部分３１０は、例えば骨として成形される可能性があり、この実施例の少なくとも１つの好適は形態において、食用に適するゲルで満たされる中心の空洞３１４を含む可能性がある。食用に適するゲルは、粘着性スラリーから固体に近い濃度まで変動する可能性がある。
【０１３６】
内側の食用に適する部分３１０はさらに、動物に炭水化物およびファイバの供給源を提供し、また、その歯科衛生に貢献する噛むことができる要素を提供するように好ましくは調製される。
【０１３７】
本実施例における食用に適する組成３００は、好ましくは、裂いて開くジッパーを備えるソーセージ型の包装３２０を提供するため、プラスチックの外装または外部の外皮３１６を含む包装において封入される（図示せず）。使用において、包装の長さで本質的に延長するジッパーは、意図された動物の消費者の例えば飼料ボウルへの配置のため、食用に適する組成３００の全体が包装から出されるのを可能にするように適応する。
【０１３８】
食用に適する組成は、販売前および使用前に冷凍または冷蔵された貯蔵のためにさらに調製される可能性がある。
【０１３９】
第６の好適な実施例
図１０および図１１に関するさらなる本発明の好ましい実施例において、ペット食品４００の包装された食用に適する組成は、内側の食用に適する部分４０２、および、円柱状の密封された缶４０６において封入される外側の食用に適する部分４０４で構成される。この実施例の少なくとも１つの好ましい形状の外側の食用に適する部分４０４は、少なくとも缶４０６の側面および基部の内側の面に適合するビスケットのような層からなるが、また、図１１に示すように完全に内側の食用に適する部分４０２を包囲する可能性がある。内側の食用に適する部分はそれから、ゲルの基質におけるかなりの量の肉のようなあらゆる適切なペット食品で構成される可能性がある。代替的に、内側の食用に適する部分は、乾燥ペレット化された食品成分の形状であってもよい。
【０１４０】
この好適な実施例においても、混合可能な分離した食品成分４０８は、内側の食用に適する部分４１４の上部の表面、または、図１１に示すように、外側の食用に適する部分４０４の上部の部分４１６の適切な窪みのどちらかにおいて、缶４０６の円形の上端部４１２および窪み４１４の間で保持される分離した小袋４１０において供給される可能性があり、そこで、外側の食用に適する部分４０４は完全に内側の食用に適する部分４０２を囲む。
【０１４１】
混合可能な分離した食品成分は、円形の上部の端４１２の内部で取り付けられる剥離可能な小袋において供給される可能性があるので、蓋が缶から除去される場合、小袋はそれを保持する窪み４１４から引かれる。
【０１４２】
第７の好適な実施例
図１２に関して、包装された食用に適する食品組成５００は、円柱状の缶５０６において提供され、外側の食用に適する部分３０４および内側の食用に適する部分５０２を備える。本実施例においてそれは、ビスケットのような材料からなる内側の食用に適する部分５０２であり、例えば骨の形に形成される可能性がある。外側の食用に適する部分５０４は、それからゲルの基質において保たれるかなりの量の肉のようなあらゆる適切なペット食品で構成される可能性があるが、また、乾燥ペレット化された食品成分の中で構成されることもできる。
【０１４３】
混合可能な分離した食品成分５０８は、外側の食用に適する食品部分５０４の上部の表面において、缶５０６の円形の上端部５１２および窪み５１４の間で保持される小袋５１０において提供される可能性がある。本実施例においてまた、小袋５１０は円形の上部の端５１２で内部に取り付けられる可能性がある。
【０１４４】
この実施例の少なくとも１つの他の好ましい形状において、内側の食用に適する部分５０２は、タンパク質豊富な組成のような好ましい食品、補助食品を含むために適応する内部空洞５１６によって提供される可能性がある。
【０１４５】
第８の好適な実施例
図１３に関して、包装された食用に適する食品組成６００は、少なくとも２つの食用に適する組成６０１および６０３を備える。本実施例において示される第１の食用に適する組成６０１は、包装６０８の第１の上部の仕切り６０６において保持される内側の食用に適する部分６０２および外側の食用に適する部分６０４から構成される。外側の食用に適する部分６０４は、少なくとも部分的に内側の食用に適する部分６０２を囲み、図示された例において、基部部分およびパイのような構造を形成するため上方へ延長している側面部分を備える。包装６０８は、包装の外部の外皮６１２の上部の端６１１に適用される剥離ホイルまたはプラスチックシート６１０によって密閉される。
【０１４６】
外部の外皮６１２のより低い部分において配置されるのは、段または肩６１８の内側の面に適用される剥離ホイルまたはプラスチックシート６１６によって第１の上部の仕切り６０６から切り離される包装６０８の第２のより低い仕切り６１４である。
【０１４７】
外側の食用に適する部分６０４は、その形状を保持し、容器を内側の食用に適する部分６０２に提供するために適応する上部の仕切り６０６の内側の表面に本質的に適合するビスケットのようなまたはパイ皮の材料の外皮としてまた調製される可能性がある。内側の食用に適する部分は、肉およびゲル組成であってもよく、または乾燥した粗挽きの穀物からなる可能性がある。
【０１４８】
第２のより低い仕切り６１４はそれから、第１の上部の仕切り６０６の内容への添加のため、例えばソースまたは肉汁としての液体または流動可能な形状の栄養剤のように分離した食品成分を含む可能性がある。
【０１４９】
使用において、ホイルまたはプラスチックシート６１０はまず上部蓋６１１を剥離し、外側のおよび内側の食用に適する部分は除去される。第２の断面６１４を封止しているホイルまたはプラスチックシート６１６は、それから栄養剤または肉汁の使用を可能にするように肩６１８を剥離することができる。代替的に、シート６１６は、その操作が第２の断面６１４において保持される栄養剤、肉汁またはソースを出すために貫通されることができるその表面の中心部に沿ってもろい線（図示せず）を備える可能性がある。
【０１５０】
第９の好適な実施例
図１４Ａおよび図１４Ｂに関して、食用に適する食品組成７００は、ホイル小袋７０２において提供される。小袋７０２は平らな楕円形の断面の延長したスリーブの形であり、第３の中心の内側の食用に適する食品部分７０８によって、２つの外側の食用に適する食品部分７０４および７０６に分割される。小袋７０２の各々の端は、使用のために裂けるように配置される上部ホイル部分７１２を有し、それぞれ上部および底部ホイル部分７１０および７１２によって封止される。
【０１５１】
２つの外側の食用に適する部分７０４および７０６の各々は、小袋７０２に挿入される場合、それらの間を出るために前もって成形された栄養的なゲルの基質において浮遊される粗挽きの穀物ペレットの本質的に固体の食品組成からなり、円柱状の空洞は、内側の食用に適する部分を形成するため、小袋の封止の前に、それから流動可能な肉汁、ソースまたは栄養剤で満たされる可能性がある第３の部分７０８を形成する。
【０１５２】
この実施例の１つの好ましい形状において、外側の食用に適する部分７０４および７０６は、流動可能な肉汁を含むための管状の仕切りによって切り離される。外端および内側の食用に適する部分の各々は、小袋７０２の細長いスリーブの長さで延長する。
【０１５３】
好ましくは、２つのゲルにおける粗挽きの穀物の組成は、異なる選択されや調味料である。小袋は、意図されたペット動物のための１つの完全な食事を含むためのサイズの範囲において提供される可能性がある。
【０１５４】
第１０の好適な実施例
図１５Ａおよび図１５Ｂに関して、食用に適する組成８００は、図１５Ａの断面図に最もよく示されるように、延長する楕円形の切断された形状を形成して外側のホイル囲い８１０に含まれる。側面８１２は、囲い８１０の長さを延長する継ぎ目８１８を形成するため、一緒に導かれる対向する端８１４および８１５で楕円形の断面形状を形成するため、ホイルに包まれた単一のシートで形成される。
【０１５５】
類似しているがより小さい大きさの内側の囲い８２０もまた、一緒にまた導かれ、外側の囲い８１０の端８１４および８１５の間で保たれるシートの対向する端で楕円形の断面形状を形成するため、ホイルに包まれた単一のシートから形成される。
【０１５６】
いくつかの内側と外側の囲いのシート端は、気密の共通の継ぎ目を形成するため、例えば熱溶着によって一緒に結合される。基底部８２２は、外側のおよび内側の囲いの側面のより低い端に溶接されるホイル熱の分離した片で形成される可能性があるが、より好ましくは、２つの囲いのより低い端は、接触に導かれ、より低い気密の継ぎ目を形成するために溶接される。
【０１５７】
同様に、上部８２４はまた気密の閉止が提供されるが、ここで、囲いの上部の部分が使用のために外側のおよび内側の囲いの内容に近づくため分離する可能性がある方法により、囲いの上部の端にすぐ近くにもろい亀裂線８２６またはストリップが提供される。
【０１５８】
好ましくは、内側の囲いのより小さい容積は、肉汁のような流動可能な栄養剤８２８を含む可能性があり、一方で外側の囲いのより大きい容積は、比較的固体の粗挽きの穀物組成を含む。流動可能な補助食品８２８は、ビタミンまたは治療的な物質の特定の投与を含むために調製される可能性がある。
【０１５９】
これまでのところ記載される囲いは２つの部分の囲いであるにもかかわらず、いうまでもなく、発明は、３つの異なった食用に適する組成のため第４のシートの付加によって、３つの分離した仕切りを可能にしている実施例を包含する。
【０１６０】
第１１の好適な実施例
１６Ａ図および図１６Ｂに関するこのさらなる好適な実施例において、二重囲い構造９００は、ホイルの３つの分離した一般に矩形のシートで形成される。より低い外側のシート９１０、中間のシート９１２および上部の外側のシート９１４は、図１６Ａに最もよく示される。
【０１６１】
３つのシートは、シートの対向する長い端で一緒に集められ、気密の継ぎ目９１６および９１８を形成するため、例えば熱溶着によって結合される。各々の端９２０および９２２は、最適に成形されたホイルの分離した片、または、対応する対向した端を一緒に集めて気密の継ぎ目を形成することによって封止される。一つの端９２２は、その囲いの端が内容物に接近するために除去される可能性があるもろい線またはストリップを備える。
【０１６２】
最も狭いシート９１４から最も広いシート９１２までの各々のシートの幅は増加するので、低い外側のシート９１０が「ふくらみ」、中間のシート９１２のより小さい範囲はそれらの間に、第１の食用に適する組成のための第１の容積９２４および第２の食用に適する組成のための第２の容積９２６にそれぞれ形成する。
【０１６３】
この実施例においても、第３の食用に適する組成がホイルのさらなる内部巻きつけシートを提供することによって収められることはいうまでもない。
【０１６４】
第１２の好適な実施例
図１７Ａから図１７Ｃに関して食用に適する組成および包装のさらなる実施例において、パッケージ１０００は、従来のイヌ骨の形状を有する外部の外皮１００２として部分において形成される。内部で、包装は、より大きい容積の外部仕切り１００４および１００６、および、より小さい容積中間仕切り１００８を形成するため、分割要素１００１によって３つの仕切りに分割される。
【０１６５】
パッケージ８００は、比較的可撓性のプラスチック材料において、好ましくは押出成形され、後部ホイル蓋板１０１０（隠された）および前部ホイル蓋板１０１２を備える。少なくとも、前部蓋板１０１２の一部１０１４は、もろい線またはストリップ１０１６に沿って裂けることによって移動可能ある。代替的に、基底部および外部の外皮１００２および分割要素１００１は、一体的に成形される可能性がある。
【０１６６】
包装１０００の３つの仕切りは、３つの異なる食用に適する組成で満たされる可能性がある。したがって、例えば２つのより大きい容積外部仕切り１００４および１００６は、比較的固体の粗挽きの穀物組成を含む可能性があり、一方で中間仕切り１００８は、肉汁のような流動可能な物質で満たされる。代替的に、中間仕切り１００８が、例えば、流動可能な物質への添加または粉末として治療的な物質を提供するために使われることができる。
【０１６７】
使用のために必要とされる場合、前面蓋板１０１２の引金部分１０１４は除去され、包装の内容物はそれから圧搾される可能性がある。
【０１６８】
上記した例、および、図１７Ａから図１７Ｃに示されるように、イヌ骨型の包装であるにもかかわらず、内部配置は例えばキャットフードのための魚の形の包装のように、他の形の包装において組み込まれる可能性があると直ちに理解される。
【０１６９】
第１３の好適な実施例
図１８および図１９に関して食用に適する組成および包装１１００のさらに好適な実施例において、外部の外皮１１１０は、一体的に形成された内部容器１１１４を備えたボウル１１１２を形成する。外部の外皮１１１０および内部容器１１１４の端１１１６および１１１８はそれぞれ、カバー部分１１２０が気密可能に端１１１６および１１１８に適用されることができるように共通の平面に存在する。ボウル部分１１１２はそれから、上記の先の実施例にて説明したように、例えば粗挽きの穀物およびゲル食品組成で満たされる可能性があり、内部容器１１１４は、例えば肉汁または栄養剤のように流動可能な食品組成で満たされる。
【０１７０】
この実施例の１つの好ましい形状において、ボウルは、図１８および図１９で分かるように、突設安定要素１１２２を備える可能性があり、それが、消費する動物のために食品ボウルとして直接使われるのを可能にする。
【０１７１】
第１４の好適な実施例
図２０Ａ、図２０Ｂおよび図２１で示される好ましい図示された実施例において、包装１２００の配置は、包装は内部分割１２１０および１２１２を備え、１つの包装内で３つの分離した食用に適する組成１２１４、１２１６および１２１８の供給を可能にする点で上記の第１２の実施例のそれに類似している。
【０１７２】
特に好ましい配置において、包装１２００の外側の外皮１２２０は、魚の外形として部分において成形され、内容は必ずではないが、主としてネコによる消費の意図を有する。
【０１７３】
２つの外部仕切り１２２２および１２２４は、内部分割１２１０および１２１２によって提供され、例えば粗挽きの穀物およびゲルの２つの調合のような２つの食用に適する組成の供給を可能にし、一方で、中間のより小さい仕切り１２２６は、肉汁、ソースまたは具体的な食事または医薬のいくつかの補助食品を含む可能性がある。代替的に、中間仕切りは、２つの外部仕切りが流動可能な食用に適する組成を含み、比較的固体の食用に適する組成を含む可能性がある。
【０１７４】
図２０Ａおよび図２０Ｂに示すように、包装は、外側の魚型の外皮１２２０、側面１２３０を有する魚型の基部（見えない）、および、基部から上方へ上昇している内部分割１２１０および１２１２を備える。外皮およびその内部分割は、適切なプラスチック材料から押出法によって形成される可能性があり、例えば、接着剤、ヒートシーリングまたは他の適切な手段もいずれかによってホイルで形成される基部または基部に適用されるフィルムを有する。代替的に、基部、外部の外皮および内部分割は、一体的に成形される可能性がある。
【０１７５】
外部の外皮１２２０および内部分割１２１０および１２１２の上部の端は、本質的に基部と平行の共通の平面に存在する。内容が包装に添加された後、使用の前に異なる内容間の分離を維持するように、フィルムまたはホイル密閉カバー１２３２は、粘着するように、または、別途外部の外皮１２２０および内部分割１２１０および１２１２の端に適用される。
【０１７６】
包装１２００の３つの分離した内容の密度の好ましい配置において、２つの外側の食用に適する組成１２１４および１２１６は、中心のより小さい仕切り１２２６の内容であるように、流動可能な状態である。この手段によって、２つの外部仕切り１２２４および１２２６の内容は、図２０Ｂに示すように、フィルムまたはホイルカバー１２３２を剥がし、包装から最初に放出されることができ、その後、「尾部」１２３４で包装を把握し、十分にカバー１２３２を長く剥離することによって、２つの外部仕切り１２２２および１２２４からの内容物の流出を可能にし、したがって、中心の仕切り１２２６の内容が出るのを遅延させる。
【０１７７】
栄養的な構造
上記に記載された実施例の食品成分の様々な要素の組成は、栄養的な構造のバランスのよい並置に依存する。概括的に、これらは、タンパク質供給源を含むキャリア、繊維供給源を含むキャリア、および、炭水化物供給源を含むキャリアを含む３つの主な供給源から構成されると考えられる。
【０１７８】
繊維および炭水化物供給源は、上記の記載された実施例の包装された食用に適する食品組成のビスケットのような部分において、主として提供される可能性がある。他の食用に適する部分はまた、適切なペット食品の選ばれた組成次第で繊維および／または炭水化物を提供する可能性がある。同様に、この部分は、少なくともいくつかのタンパク質を担持する。
【０１７９】
補助食品の組成
追加的なタンパク質は、例えば肉汁またはソースの分離した食品成分において提供される可能性がある。
【０１８０】
代替的に、小袋が、追加的なビタミン剤のためのキャリア、または、治癒的または予防的医薬の化合物の調味として、上記の実施例のいずれにおいてでも使われる可能性がある。
【０１８１】
上記のものは、本発明のいくつかの実施例のみを記載し、本発明の範囲および趣旨から逸脱することなく、当業者に明らかな変更をすることができる。
【図面の簡単な説明】
【０１８２】
本発明の実施例は、添付の図面に関して以下に記載される。
【図１】第１の本発明の好ましい実施例による食用に適する組成のための包装の切断された立面図である。
【図２】用途の第１の段階における図１の包装の斜視図である。
【図３】第２の用途の段階における図１および図２の包装の斜視図である。
【図４】本発明の好ましい第２の実施例による食用に適する組成のための包装の横断立面図である。
【図５】用途の第１の段階における図４の包装の斜視図である。
【図６】発明による食用に適する組成および包装の好適な実施例の横断立面図である。
【図７】剥離カバー部が除去された図６の食用に適する組成および包装の斜視図である。
【図８】剥離カバー部が部分的に包装から除去され、カバーの下側に取り付けられる分離した食品成分の小袋が現れた図６および図７の食用に適する組成および包装の側面図である。
【図９】発明による食用に適する組成および包装のさらなる実施例の断面図である。
【図１０】発明による食用に適する組成および包装のさらなる実施例の断面図である。
【図１１】発明による食用に適する組成および包装のさらなる実施例の断面図である。
【図１２】発明による食用に適する組成および包装のまたさらなる実施例の断面図である。
【図１３】発明による食用に適する組成および包装のさらなる実施例の断面図である。
【図１４Ａ】発明による食用に適する組成および包装のさらなる実施例の断面図である。
【図１４Ｂ】図１４Ａの食用に適する組成および包装の斜視図である。
【図１５Ａ】食用に適する組成および包装のさらなる実施例の断面図である。
【図１５Ｂ】図１５Ａの食用に適する組成および包装の斜視図である。
【図１６Ａ】食用に適する組成および包装のさらなる実施例の断面図である。
【図１６Ｂ】図１６Ａの食用に適する組成および包装の斜視図である。
【図１７Ａ】食用に適する組成および包装のさらなる実施例の断面図である。
【図１７Ｂ】前部蓋板が除去された図１７Ａの食用に適する組成の斜視図および包装である。
【図１７Ｃ】前部蓋板の引金部分が除去された図１７Ａの食用に適する組成の斜視図および包装である。
【図１８】食用に適する組成のための包装のさらなる好適な実施例の斜視図である。
【図１９】２つの食用に適する組成を有する図１８の包装の断面図である。
【図２０Ａ】食用に適する組成のための包装のさらなる好適な実施例の斜視図である。
【図２０Ｂ】食用に適する組成のための包装のさらなる好適な実施例の斜視図である。
【図２１】カバーが除去された図２０Ａおよび図２０Ｂの包装の平面図である。
【図１】
2008534397.tif 000003
【図２】
2008534397.tif 000004
【図３】
2008534397.tif 000005
【図４】
2008534397.tif 000006
【図５】
2008534397.tif 000007
【図６】
2008534397.tif 000008
【図７】
2008534397.tif 000009
【図８】
2008534397.tif 000010
【図９】
2008534397.tif 000011
【図１０】
2008534397.tif 000012
【図１１】
2008534397.tif 000013
【図１２】
2008534397.tif 000014
【図１３】
2008534397.tif 000015
【図１４Ａ】
2008534397.tif 000016
【図１４Ｂ】
2008534397.tif 000017
【図１５Ａ】
2008534397.tif 000018
【図１５Ｂ】
2008534397.tif 000019
【図１６Ａ】
2008534397.tif 000020
【図１６Ｂ】
2008534397.tif 000021
【図１７ａ】
2008534397.tif 000022
【図１７Ｂ】
2008534397.tif 000023
【図１７Ｃ】
2008534397.tif 000024
【図１８】
2008534397.tif 000025
【図１９】
2008534397.tif 000026
【図２０Ａ】
2008534397.tif 000027
【図２０Ｂ】
2008534397.tif 000028
【図２１】
2008534397.tif 000029
【国際調査報告】
2008534397.tif 000030
2008534397.tif 000031
2008534397.tif 000032
2008534397.tif 000033
2008534397.tif 000034
2008534397.tif 000035
2008534397.tif 000036
2008534397.tif 000037
2008534397.tif 000038